(57)【要約】【課題】パネルの表面材を薄板から構成したような場合であっても、錠レバーの回動操作の負荷によりパネルの変形・破損が生じることがないようにする。【解決手段】カバー体１６を用いたパネルに対するシャッター錠の取付構造である。パネル２には、支軸５を受け入れると共に、表面材２１側からカバー体１６を差し込むための開口２１１が形成されており、カバー体１６の周壁１６０が支軸５を取り囲み、周壁１６０の基端部の外周面の少なくとも一部が表面材２１の開口縁２１１Ａに当接し、縁部１６１が表面材２１の外側面に当接するようにして、開口２１１に設けられる。カバー体１６の周壁１６０の先端側を錠ケース４に形成された支持部１７，１８，１９に支持させて、錠レバー７の取付プレート７０を縁部１６１に当接させた状態で、取付プレート７０、縁部１６１、表面材２１を止着部材７１で止着してなる。【選択図】図９
2008008029.tif 000002
【特許請求の範囲】
【請求項１】
パネルに対するシャッター錠の取付構造であって、
シャッター錠は、パネルの一方の表面材に装着された錠ケースと、パネルを厚さ方向に貫通するように錠ケースから突出する支軸と、支軸に連結されていると共に、取付プレートを介して他方の表面材に装着され、回動操作によって施錠・解錠を行う錠レバーと、を有しており、
パネルには、支軸を受け入れると共に、他方の表面材側からカバー体を差し込むための開口が形成されており、
前記カバー体は、周壁と周壁の基端側に形成された縁部とを有し、周壁が支軸を取り囲むようにして、前記開口に設けられ、
前記錠ケースの面部には、前記開口内に突出する支持部が形成されており、
前記カバー体の該周壁の先端側を前記支持部に支持させて前記支軸に対する前記カバー体の揺動を規制し、前記錠レバーの該取付プレートを前記カバー体の該縁部に当接させた状態で、前記取付プレート、前記縁部、前記他方の表面材を止着部材で止着してなる、
シャッター錠の取付構造。
【請求項２】
前記カバー体は、周壁の基端部の外周面の少なくとも一部が他方の表面材の開口縁に当接し、縁部が他方の表面材の外側面に当接するようにして、前記開口に設けてある、請求項１に記載のシャッター錠の取付構造。
【発明の詳細な説明】
【技術分野】
【０００１】
本発明は、シャッター錠の取付構造に係り、詳しくは、シャッターカーテンを構成するパネルに対するシャッター錠の取付構造に関するものである。
【背景技術】
【０００２】
複数のパネルからなるシャッターカーテンに組み込まれるシャッター錠を図１０に示す。また、同様のシャッター錠が特許文献１に記載されている。このシャッター錠では、パネルの表面材の外部に設けた錠レバーの回動操作によって施錠・解錠を行うものであるが、従来の構造では、錠レバー７の回動操作により生じる力を専ら表面材に頼る構造となっている。具体的には、支軸５に連結されている錠レバー７は、取付プレート７０を介して表面材に止着部材７１を用いて止着させてあるのみであり、止着部材７１で止着された部分に力が局所的に作用する。錠レバー７を回動操作して支軸５を回転させる時には、支軸５を錠ケース４側を基端として揺動させるような力も発生する。そのため、錠レバー７の回動操作を繰り返すと表面材に負荷がかかり、パネルの変形・破損に至るおそれがあった。
【０００３】
上記不具合を回避する手段として、パネルに裏板等の補強材を入れる等の対策が講じられている。しかしながら、裏板や框等の補強材をパネルに入れるとするならば、「パネルへ均一なウレタン注入に支障を来たし、断熱性能を損ねる」、「パネル重量が重くなってパネルの設計範囲が制限されてしまう」といった不具合がある。
【特許文献１】特開平６−３３０６８０
【発明の開示】
【発明が解決しようとする課題】
【０００４】
本発明の目的は、パネルの表面材を薄板から構成したような場合であっても、錠レバーの回動操作の負荷によりパネルの変形・破損が生じることがないようなシャッター錠の取付構造を提供することにある。
【課題を解決するための手段】
【０００５】
本発明は、パネルに対するシャッター錠の取付構造であって、シャッター錠は、パネルの一方の表面材に装着された錠ケースと、パネルを厚さ方向に貫通するように錠ケースから突出する支軸と、支軸に連結されていると共に、取付プレートを介して他方の表面材に装着され、回動操作によって施錠・解錠を行う錠レバーと、を有しており、パネルには、支軸を受け入れると共に、他方の表面材側からカバー体を差し込むための開口が形成されており、前記カバー体は、周壁と周壁の基端側に形成された縁部とを有し、周壁が支軸を取り囲むようにして、前記開口に設けられ、前記錠ケースの面部には、前記開口内に突出する支持部が形成されており、前記カバー体の該周壁の先端側を前記支持部に支持させて前記支軸に対する前記カバー体の揺動を規制し、前記錠レバーの該取付プレートを前記カバー体の該縁部に当接させた状態で、前記取付プレート、前記縁部、前記他方の表面材を止着部材で止着してなる、ものである。
【０００６】
好ましい態様では、前記カバー体は、周壁の基端部の外周面の少なくとも一部が他方の表面材の開口縁に当接し、縁部が他方の表面材の外側面に当接するようにして、前記開口に設けてある。カバー体の周壁の形状は、一つの好ましい態様では、円筒状であるが、カバー体の周壁の形状は円筒状に限定されるものではなく、例えば、断面視多角形状（方形を含む）であってもよい。
【０００７】
カバー体の周壁の先端側の支持構造は、カバー体が支持部を介して、錠レバーの回動操作時に生じる力の一部を錠ケースへ伝達し、前記支軸に対する前記カバー体の揺動を規制できる（錠レバーの回動操作時に、カバー体が、支軸を通る軸線に対してぐらぐらすることを規制する）ものであればよい。周壁から支持部へ力を良好に伝達させ、前記支軸に対する前記カバー体の揺動を規制するためには、カバー体の周壁の先端側と支持部とが連結ないし固定されていることが有利である。具体的な態様では、周壁の先端側部位と支持部との嵌合、螺合が例示される。また、カバー体の周壁の先端側と支持部とは、必ずしも固定・連結されている必要はなく、例えば、支持部を円筒状の形状として、カバー体の周壁の先端側部位を、円筒状の支持部に嵌り込ませることで、カバー体の周壁の先端側部位の周面を拘束するものでもよい。
【発明の効果】
【０００８】
本発明はカバー体を用いたシャッター錠の取付構造であり、カバー体の先端側を錠ケースの面部に形成した支持部に支持させて、錠レバーの回動操作に伴う力を、カバー体を介して錠ケースに伝達し、支軸に対する前記カバー体の揺動を規制することで、表面材に作用する力を軽減する。錠レバーの回動操作に伴う力を、カバー体を介して錠ケースに伝達し、支軸に対する前記カバー体の揺動を規制することは、すなわち、支軸を錠ケース側を基端として揺動させるような力が発生することを防止することを意味し、表面材に作用する力が軽減される。さらに、止着部材を用いた止着部分に加えて、カバー体の周壁の基端部が表面材に形成した開口縁に当接することで、表面材に作用する力を当該開口縁が負担することで、分散させることができる。したがって、上記止着部分に局所的に力が作用することがなく、パネルの表面材を薄板から構成した場合であっても、錠レバーの回動操作の繰り返しによってパネルの表面材の変形や破損が生じることを防止できる。
【０００９】
パネル内に補強材を入れることなくパネルの表面材の変形や破損を防止するものであるため、パネルへのウレタン注入を均一に行うことができ、断熱性能を落とすことがない。
【００１０】
パネル内に補強材を入れることなくパネルの表面材の変形や破損を防止するものであるため、パネル重量が殊更重くなることがなく、パネルの設計変更に支障を来たすことがない。
【発明を実施するための最良の形態】
【００１１】
図１は、いわゆるオーバーヘツドドアのシャッターカーテンの部分正面図であって、シャッターカーテン１は、複数枚のパネル２を上下に連設することで形成されている。パネル２は、屋内側の表面材２０と、屋外側の表面材２１と、表面材２０，２１間に充填された断熱材（図示せず）とから構成されている。下方に位置するパネル２にはシャッター錠３が組み込まれている。
【００１２】
先ず、シャッター錠３の構成について主として図１０を参照しながら説明する。シャッター錠３は、パネル２の屋内側の表面材２０に装着される錠ケース４と、錠ケース４の屋内側面部４０及び屋外側面部４１から突出する角柱状の支軸５と、支軸５の屋内側端部に連結される屋内側の錠レバー６と、支軸５の屋外側端部に連結される屋外側の錠レバー７と、を有している。錠レバー６，７を回動操作することで支軸５を回転させるようになっている。
【００１３】
錠ケース４内には、錠レバー６，７の回動によって、支軸５を介して回動するカムプレート（図示せず）と、カムプレートの回動によって移動する作動板（図示せず）が内装されている。
【００１４】
パネル２の左右両端部には、ラッチ８が揺動自在に軸支されており、ガイドレール９に設けたラッチ掛り１０に係合可能となっている。ラッチ８はラッチ掛かり１０に係合する方向に付勢されている。作動板とラッチとの間を連結ワイヤ１１が連結しており、錠レバー６，７の回動操作によって、ラッチ８を回動させて、シャッター錠の施錠・解錠を行う。図示の例では、錠レバー６，７が縦方向にある状態が施錠位置であり、横方向にある状態が解錠位置である。
【００１５】
錠ケース４には、さらに、施錠位置にあるカムプレートが解錠位置に回動することを規制する規制体（図示せず）が内装されており、錠ケース４の外部から規制体を操作可能となっている。錠ケース４の屋外側面部４１には、錠ケース４の屋外側面部より突出する支軸５の上方に位置してシリンダ１２がパネル２を貫通するように突設されており、屋外側からシリンダ１２の鍵孔に鍵１３を挿入して回動操作することで、屋内側からは摘み１４の移動操作によって、規制体の操作が可能となっている。 
【００１６】
錠ケース４の屋内側面部４０から突出する摘み１５は、錠ケース４に内装されたロック体（図示せず）の操作摘みである。摘み１５を回動操作することでロック体が、カムプレートが施錠位置に自動復帰するのを規制して解錠位置に保持し、摘み１５を逆回しすることでロック解除状態となる。
【００１７】
シャッター錠の構成について説明したが、シャッター錠のより詳細な構成や作用効果については、特許文献１の記載を参照することができる。
【００１８】
次いで、シャッター錠の取付構造について説明する。パネル２は、表面材２０，２１間に断熱材としてのウレタンを充填することで形成されているが、パネル２は、シャッター錠３の支軸５、シリンダ１２に対応する部位において、表面材２０，２１及び断熱材が円柱状に刳り貫かれており、上側の開口２１０、下側の開口２１１がパネル２を厚さ方向に貫通するように形成されている（図３参照）。上側の開口２１０はシリンダ１２に対応する開口であり、シリンダ１２の径よりも僅かに大きな径を有している。下側の開口２１１は支軸５に対応する開口であるが、支軸５を取り囲むカバー体１６の周壁を受け入れ可能なように、支軸５に比べて大きい開口となっている。開口２１１の周囲には、上下に位置して止着部材７１を挿通させる挿通孔２１２が形成されている。
【００１９】
図４に示すように、カバー体１６は、円筒状の周壁１６０と、周壁１６０の基端側において外方に向かって放射状に延出する縁部１６１と、から形成されている。縁部１６１には、止着部材７１を挿通させる挿通孔１６２が形成されている。周壁１６０の外径は開口２１１の寸法に、周壁１６０の長さ寸法は、パネル２の厚さ寸法に、それぞれ対応している。カバー体１６は、周壁１６０が支軸５を取り囲み、周壁１６０の基端部が屋外側の表面材２１の開口縁２１１Ａに近接し、縁部１６１が表面材２１の外側面に当接するようにして、屋外側から開口２１１に差し込まれる。錠レバー７は、レバー体７００と、支軸５との連結部７０１と、取付プレート７０とからなり、取付プレート７０には図示しない挿通孔が形成されている。周壁１６０の先端側を錠ケース４の屋外側面部４１に形成した支持部１７，１８，１９に支持させて、錠レバー７の取付プレート７０をカバー体１６の縁部１６１に当接させた状態で、取付プレート７０、縁部１６１、表面材２１を止着部材７１で止着してなる。また、図示の態様では、取付プレート７０の径とカバー体１６の縁部１６１の径とが同一寸法に形成されている。
【００２０】
図９は、錠レバー７を支軸５の屋外側端部及び屋外側表面材２１に取り付けた状態におけるカバー体の周壁１６０の基端側の部分拡大図である。本発明では、錠レバー７は、止着部材７１による止着部位Ｐ１、及び、カバー体１６の周壁１６０の基端部の周面と屋外側表面材２１に形成された開口の開口縁２１１Ａとの当接部位Ｐ２、の２箇所で屋外側表面材２１に対して支持されている。こうすることで、従来は止着部位Ｐ１に作用していた力が、カバー体１６の周壁１６０の基端部の周面と屋外側表面材２１に形成された開口の開口縁２１１Ａとの当接部位Ｐ２に分散させることになり、止着部位Ｐ１に局所的に力が作用することがないようになっている。図示の態様では、開口２１１は、止着部材７１による止着部位Ｐ１に近接した部位に屋外側表面材２１に形成された開口の開口縁２１１Ａによる当接部位Ｐ２が位置するような径を有している。開口２１１の径を大きく取ることで、当接部位Ｐ２を止着部位Ｐ１に近づけることができると共に、当接部位Ｐ２（開口縁２１１Ａ）の寸法を大きくすることができる。当接部位Ｐ２を止着部位Ｐ１に近づけることで、止着部位Ｐ１に作用するであろう力を、良好に当接部位Ｐ２に分散させることができる。
【００２１】
カバー体１６の周壁１６０の先端側の支持構造について説明する。図５に、支持構造の第１実施例を示す。錠ケース４の屋外側面部４１には、円筒状の支持部１７が突設されている。支持部１７の外径は、カバー体１６の周壁１６０の内径より僅かに小さい寸法に形成されている。カバー体１６を屋外側からパネル２に形成された開口２１１に挿入した時に、周壁１６０の先端側が支持部１７に被さるようになっている。図示の例では、カバー体１６の周壁１６０よりも小径の円筒状の支持部１７を示したが、支持部１７をカバー体１６の周壁１６０よりも僅かに大径とし、周壁１６０の先端側を支持部１７が近接して受け入れるようにしてもよい。カバー体１６の周壁の先端側を円筒状の支持部１７に支持させることで、屋外側の錠レバー７の回動操作に伴う力をカバー体１６、支持部１７を介して屋内側表面材２０に装着された錠ケース４に伝達することで、屋外側表面材２１に作用する力を軽減する。
【００２２】
図６、図７に、支持構造の第２実施例を示す。錠ケース４の屋外側面部４１には、複数の立ち上がり状の支持部１８が円周方向に間隔を存して突設されている。立ち上がり状の支持部１８は円弧形状を有しており、複数の立ち上がり状の支持部１８の外面を通る仮想円の外径は、カバー体１６の周壁１６０の内径より僅かに小さい寸法に形成されている。カバー体１６を屋外側からパネル２に形成された開口２１１に挿入した時に、周壁１６０の先端側が支持部１８に被さるようになっている。立ち上がり状の支持部１８は弾性を有するバネ材として構成することで、周壁１６０の先端側を支持部１８に嵌合させることができる。図示の例では、カバー体１６の周壁１６０よりも小径の仮想円を形成する複数の立ち上がり状の支持部１８を示したが、支持部１８がカバー体１６の周壁１６０よりも僅かに大径の仮想円を形成するようにして、周壁１６０の先端側を支持部１８が近接して受け入れるようにしてもよい。カバー体１６の周壁の先端側を複数の立ち上がり状の支持部１８に支持させることで、屋外側の錠レバー７の回動操作に伴う力をカバー体１６、支持部１８を介して屋内側表面材２０に装着された錠ケース４に伝達することで、屋外側表面材２１に作用する力を軽減する。
【００２３】
図８に、支持構造の第３実施例を示す。錠ケース４の屋外側面部４１には、円筒状の支持部１９が突設されている。支持部１９の外径は、カバー体１６の周壁１６０の内径より僅かに小さい寸法に形成されていると共に、外周面には螺子が刻設されている。一方、カバー体１６の周壁１６０の内周面の先端側にも螺子が刻設されている。カバー体１６を屋外側からパネル２に形成された開口２１１に挿入する時に、カバー体１６を回転させながら、カバー体１６の周壁１６０の先端側の内周面を支持部１９の外周面に螺合させる。図示の例では、カバー体１６の周壁１６０の内周面と支持部１９の外周面とを螺合させるものを示したが、支持部１９をカバー体１６の周壁１６０よりも僅かに大径とし、カバー体１６の周壁１６０の外周面と支持部１９の内周面とを螺合させてもよい。カバー体１６の周壁の先端側を円筒状の支持部１９に支持させることで、屋外側の錠レバー７の回動操作に伴う力をカバー体１６、支持部１９を介して屋内側表面材２０に装着された錠ケース４に伝達することで、屋外側表面材２１に作用する力を軽減する。
【産業上の利用可能性】
【００２４】
本発明はパネルに組み込まれるシャッター錠に利用することができる。
【図面の簡単な説明】
【００２５】
【図１】シャッター錠が組み込まれたシャッターカーテンの部分正面図である。
【図２】左図は、パネルに組み込まれたシャッター錠の側面図、右図は、左図のシャッター錠の錠ケースを屋内側から見た図である。
【図３】パネルを屋外側から見た部分図であって、パネルに貫設された２つの開口を示している。
【図４】本発明に係るカバー体を示す図である。
【図５】本発明に係るカバー体の先端側の支持構造の第１実施例を示す図である。
【図６】本発明に係るカバー体の先端側の支持構造の第２実施例を示す図である。
【図７】図６における支持部を示す図である。
【図８】本発明に係るカバー体の先端側の支持構造の第３実施例を示す図である。
【図９】図２の部分拡大図である。
【図１０】従来のシャッター錠の構成を説明する図である。
【符号の説明】
【００２６】
２  パネル
２０  屋内側表面材
２１  屋外側表面材
２１１  開口
２１１Ａ  開口縁
３  シャッター錠
４  錠ケース
５  支軸
７  錠レバー
７０  取付プレート
７１  止着部材
１６  カバー体
１６０  周壁
１６１  縁部
１７  支持部
１８  支持部
１９  支持部
【図１】
2008008029.tif 000003
【図２】
2008008029.tif 000004
【図３】
2008008029.tif 000005
【図４】
2008008029.tif 000006
【図５】
2008008029.tif 000007
【図６】
2008008029.tif 000008
【図７】
2008008029.tif 000009
【図８】
2008008029.tif 000010
【図９】
2008008029.tif 000011
【図１０】
2008008029.tif 000012